(57)【要約】【課題】  ０系及び１系のうちの一方の系のみが障害から復旧した場合でも、直ちに正常運用時と同じ位相差で遅延メモリへの伝送データの書込みを実施可能とし、片系復旧でも伝送データを疎通可能にするとともに、伝送路障害復旧から伝送データ疎通までの時間を短縮可能な無瞬断切り替えシステムを提供する。【解決手段】  書込み制御部２４，２５は伝送路の障害が復旧した直後、識別信号検出部２１，２２にて正しい識別信号を検出することができないため、挿入遅延量保持部２６，２７にて保持されている位相差量と読出しアドレスとを利用し、正常運用時の書込みアドレスを復元し、遅延メモリ２９，３０への受信データの書込みを開始する。選択部３１は遅延メモリ２９，３０から受信データが読出されると、伝送路障害が先に復旧した系を運用系に選択することで、伝送路障害が復旧してすぐに伝送データを疎通することができる。【選択図】      図１
2006074301.tif 000002
【特許請求の範囲】
【請求項１】
運用系及び予備系からの伝送データの位相を合わせるための遅延メモリを含み、伝送路の障害発生時に前記運用系と前記予備系とを無瞬断にて切り替え可能な無瞬断切り替えシステムであって、
正常運用時の読出しアドレスに対する書込みアドレスの位相差量を保持する保持手段と、前記運用系及び前記予備系の両系の伝送路に障害が発生してから復旧した時に前記保持手段に保持された位相差量と前記読出しアドレスとを用いて正常運用時の書込みアドレスを復元する手段とを受信側装置に有し、
その復元された書込みアドレスを基に前記遅延メモリへの前記伝送データの書込みを開始することを特徴とする無瞬断切り替えシステム。
【請求項２】
前記運用系及び前記予備系の両系の伝送路に障害が発生した時にそれらのうちの一方の障害が復旧した段階で前記伝送データを疎通させることを特徴とする請求項１記載の無瞬断切り替えシステム。
【請求項３】
前記障害の復旧後に前記運用系及び前記予備系の識別信号を両方とも検出した段階で前記運用系の伝送路と前記予備系の伝送路との遅延差を計算し、前記予備系のみ制御して前記遅延差を補正した書込みアドレスとすることを特徴とする請求項１または請求項２記載の無瞬断切り替えシステム。
【請求項４】
前記障害の復旧が遅い系を前記予備系とし、前記遅延差を吸収するために前記書込みアドレスを制御することを特徴とする請求項３記載の無瞬断切り替えシステム。
【請求項５】
前記障害の復旧後に前記運用系で前記遅延差の補正を実施することなく、継続して動作させることを特徴とする請求項３または請求項４記載の無瞬断切り替えシステム。
【請求項６】
運用系及び予備系からの伝送データの位相を合わせるための遅延メモリを含み、伝送路の障害発生時に前記運用系と前記予備系とを無瞬断にて切り替え可能な無瞬断切り替えシステムに用いるデータ疎通開始時間短縮方法であって、受信側装置側に、正常運用時の読出しアドレスに対する書込みアドレスの位相差量を保持手段に保持するステップと、前記運用系及び前記予備系の両系の伝送路に障害が発生してから復旧した時に前記保持手段に保持された位相差量と前記読出しアドレスとを用いて正常運用時の書込みアドレスを復元するステップと、その復元された書込みアドレスを基に前記遅延メモリへの前記伝送データの書込みを開始するステップとを有することを特徴とするデータ疎通開始時間短縮方法。
【請求項７】
前記運用系及び前記予備系の両系の伝送路に障害が発生した時にそれらのうちの一方の障害が復旧した段階で前記伝送データを疎通させることを特徴とする請求項６記載のデータ疎通開始時間短縮方法。
【請求項８】
前記障害の復旧後に前記運用系及び前記予備系の識別信号を両方とも検出した段階で前記運用系の伝送路と前記予備系の伝送路との遅延差を計算し、前記予備系のみ制御して前記遅延差を補正した書込みアドレスとすることを特徴とする請求項６または請求項７記載のデータ疎通開始時間短縮方法。
【請求項９】
前記障害の復旧が遅い系を前記予備系とし、前記遅延差を吸収するために前記書込みアドレスを制御することを特徴とする請求項８記載のデータ疎通開始時間短縮方法。
【請求項１０】
前記障害の復旧後に前記運用系で前記遅延差の補正を実施することなく、継続して動作させることを特徴とする請求項８または請求項９記載のデータ疎通開始時間短縮方法。
【発明の詳細な説明】
【技術分野】
【０００１】
本発明は無瞬断切り替えシステム及びそれに用いるデータ疎通開始時間短縮方法に関し、特に無瞬断切り替えシステムにて０系及び１系の両系障害からの復旧に関する。
【背景技術】
【０００２】
従来、無瞬断切り替えシステムにおいては、図４に示すように、送信側装置１と受信側装置４との間が０系の伝送路と１系の伝送路とによって接続されており、受信側装置４では０系の伝送路と１系の伝送路との無瞬断切り替えが行われている（例えば、特許文献１参照）。
【０００３】
図４において、送信側装置１は識別信号挿入部１１と、識別信号発生部１２とから構成され、受信側装置４は識別信号検出部４１，４２と、書込み制御部４３，４４と、遅延差計算部４５と、読出し制御部４６，４７と、遅延メモリ４８，４９と、選択部５０とから構成されている。
【０００４】
上記の無瞬断切り替えシステムにおいて０系と１系との両系障害から復旧した際の動作を図５に示す。正常運用中に０系及び１系の両系に伝送路障害が発生した場合、受信側装置４においては識別信号検出部４１，４２が識別信号を喪失する。したがって、受信側装置４においては書込み制御部４３，４４及び読出し制御部４６，４７にて識別信号を基に生成していた書込みアドレス及び読出しアドレスも共に喪失してしまう。
【０００５】
０系及び１系の両系の伝送路障害の復旧後、識別信号が検出されるまでには一定時間が必要で、さらに識別信号検出部４１，４２が０系及び１系の識別信号を両方とも正常に検出した時点で、はじめて０系及び１系の遅延差が求められ、書込み制御部４３，４４及び読出し制御部４６，４７にて書込みアドレス及び読出しアドレスを決めることができる。その間、伝送データは受信しているものの、出力することができない。
【０００６】
【特許文献１】特開平０９−３３１３１６号公報
【発明の開示】
【発明が解決しようとする課題】
【０００７】
上述した従来の無瞬断切り替えシステムでは、０系及び１系の両系に障害が発生した場合、片側系の復旧では伝送データを正常に出力することができないという問題がある。
【０００８】
また、従来の無瞬断切り替えシステムでは、０系及び１系の両系の障害復旧から伝送データが疎通するまでの時間に識別信号検出に要する時間必要となり、障害復旧から伝送データ疎通までの時間が大きくなってしまうという問題がある。
【０００９】
そこで、本発明の目的は上記の問題点を解消し、０系及び１系のうちの一方の系のみが障害から復旧した場合でも、直ちに正常運用時と同じ位相差で遅延メモリへの伝送データの書込みを実施することができ、片系復旧でも伝送データを疎通することができるとともに、伝送路障害復旧から伝送データ疎通までの時間を短縮することができる無瞬断切り替えシステム及びそれに用いるデータ疎通開始時間短縮方法を提供することにある。
【課題を解決するための手段】
【００１０】
本発明による無瞬断切り替えシステムは、運用系及び予備系からの伝送データの位相を合わせるための遅延メモリを含み、伝送路の障害発生時に前記運用系と前記予備系とを無瞬断にて切り替え可能な無瞬断切り替えシステムであって、正常運用時の読出しアドレスに対する書込みアドレスの位相差量を保持する保持手段と、前記運用系及び前記予備系の両系の伝送路に障害が発生してから復旧した時に前記保持手段に保持された位相差量と前記読出しアドレスとを用いて正常運用時の書込みアドレスを復元する手段とを受信側装置に備え、
その復元された書込みアドレスを基に前記遅延メモリへの前記伝送データの書込みを開始している。
【００１１】
本発明によるデータ疎通開始時間短縮方法は、運用系及び予備系からの伝送データの位相を合わせるための遅延メモリを含み、伝送路の障害発生時に前記運用系と前記予備系とを無瞬断にて切り替え可能な無瞬断切り替えシステムに用いるデータ疎通開始時間短縮方法であって、受信側装置側に、正常運用時の読出しアドレスに対する書込みアドレスの位相差量を保持手段に保持するステップと、前記運用系及び前記予備系の両系の伝送路に障害が発生してから復旧した時に前記保持手段に保持された位相差量と前記読出しアドレスとを用いて正常運用時の書込みアドレスを復元するステップと、その復元された書込みアドレスを基に前記遅延メモリへの前記伝送データの書込みを開始するステップとを備えている。
【００１２】
すなわち、本発明の無瞬断切り替えシステムは、伝送路障害発生時、無瞬断にて予備経路に切り替えることができる無瞬断切り替えシステムにおいて、運用系（０系）と予備系（１系）との両系の伝送路に障害が発生し、その後復旧した時に伝送データが疎通するまでの時間を短縮可能とすることを特徴とする。
【００１３】
本発明の無瞬断切り替えシステムでは、０系及び１系のそれぞれに、識別信号検出部と、書込み制御部と、挿入遅延量保持部と、遅延メモリと、０系及び１系の伝送路の遅延差を計算する遅延差計算部と、読出し制御部と、選択部とを有し、０系または１系の一方の障害が復旧した段階で伝送データを疎通させることで障害復旧時の疎通開始時間を短縮可能としている。
【００１４】
つまり、本発明の無瞬断切り替えシステムでは、正常運用時の読出しアドレスと書込みアドレスとの位相差を保持しておき、０系と１系との両方に障害が発生した場合、障害復旧時に先に復旧した系の書込みアドレスを、保持している位相差量と読出しアドレスとから復元することで、一方の系のみが障害から復旧した場合でも、直ちに正常運用時と同じ位相差で遅延メモリへの伝送データの書込みを実施することが可能となり、片系復旧でも伝送データが疎通可能になるとともに、伝送路障害復旧から伝送データ疎通までの時間を短縮することが可能となる。この場合、両系の復旧時の遅延差補正の際に出力する伝送データに影響を与えることはない。
【発明の効果】
【００１５】
本発明は、以下に述べるような構成及び動作とすることで、０系及び１系のうちの一方の系のみが障害から復旧した場合でも、直ちに正常運用時と同じ位相差で遅延メモリへの伝送データの書込みを実施することができ、片系復旧でも伝送データを疎通することができるとともに、伝送路障害復旧から伝送データ疎通までの時間を短縮することができるという効果が得られる。
【発明を実施するための最良の形態】
【００１６】
次に、本発明の実施例について図面を参照して説明する。図１は本発明の一実施例による無瞬断切り替えシステムの構成を示すブロック図である。図１において、本発明の一実施例による無瞬断切り替えシステムは送信側装置１と受信側装置２との間が０系の伝送路と１系の伝送路とによって接続されており、受信側装置２では０系の伝送路と１系の伝送路との無瞬断切り替えが行われている。
【００１７】
送信側装置１は識別信号挿入部１１と、識別信号発生部１２とから構成され、受信側装置２は識別信号検出部２１，２２と、遅延差計算部２３と、書込み制御部２４，２５と、挿入遅延量保持部２６，２７と、読出し制御部２８と、遅延メモリ２９，３０と、選択部３１とから構成されている。
【００１８】
識別信号検出部２１は運用系（０系）伝送路から入力する伝送データに挿入されている識別信号を検出し、識別信号検出部２２は予備系（１系）伝送路から入力する伝送データに挿入されている識別信号を検出する。遅延差計算部２３は識別信号検出部２１で検出された識別信号と識別信号検出部２２で検出された識別信号とから０系／１系伝送路の遅延差を計算する。
【００１９】
書込み制御部２４，２５は遅延差計算部２３及び識別信号検出部２１，２２の指示にしたがって遅延メモリ２９，３０への書込みアドレスを生成する。遅延メモリ２９，３０は０系及び１系からの伝送データの位相を合わせるためのメモリである。読出し制御部２８は遅延メモリ２９，３０からの読出しアドレスを生成する。選択部３１は遅延メモリ２９と遅延メモリ３０とから読出された０系，１系の伝送データのいずれか一方を選択して出力データとする。
【００２０】
図２は本発明の一実施例による無瞬断切り替えシステムの動作を示すタイムチャートであり、図３は図１の受信側装置２の動作を示すフローチャートである。これら図１〜図３を参照して本発明の一実施例による無瞬断切り替えシステムの動作について説明する。ここで、本発明の一実施例による無瞬断切り替えシステムでは、入力する０系及び１系の受信データに伝送路にてそれぞれ異なる遅延が発生し、遅延差が生じているものとする。
【００２１】
正常運用時、受信側装置２では、識別信号検出部２１，２２にて受信データに挿入される識別信号を検出し、それを基に遅延差を計算し、遅延メモリ２９，３０への書込みアドレスを０系及び１系で遅延差分だけ補正して生成することで遅延メモリ２９，３０の同一アドレスに同じ識別信号が入っている受信データを格納している。また、受信側装置２では、０系及び１系で共通の読出しアドレスにて読出すことで遅延差をなくし、運用系に障害が発生した場合に予備系に切り替えることで、無瞬断切り替えを実現している。
【００２２】
一方、挿入遅延量保持部２４，２５には、正常運用時の読出しアドレスに対する書込みアドレスの位相差量が計算されて保持されている（図３ステップＳ１）。ここで、正常運用時の読出しアドレスに対する書込みアドレスの位相差量は、「書込み／読出し位相差量＝書込みアドレス−読出しアドレス」で計算され、０系または１系の障害発生時に挿入遅延量保持部２６または挿入遅延量保持部２７に保持される。
【００２３】
伝送路に障害が発生した場合（図３ステップＳ２）、識別信号検出部２１，２２は識別信号を検出できなくなり、それにしたがって動作している書込み制御部２４，２５では正常な書込みアドレスを喪失する。尚、０系または１系に障害が発生した場合、挿入遅延量保持部２６または挿入遅延量保持部２７には正常運用時の位相差量が保持されている。
【００２４】
その後、伝送路の障害が復旧した直後（図３ステップＳ３）、識別信号検出部２１，２２にてすぐには正しい識別信号を検出することができないため、書込み制御部２４，２５は挿入遅延量保持部２６，２７にて保持されている位相差量と読出しアドレスとを利用し、正常運用時の書込みアドレスを復元し（図３ステップＳ４）、遅延メモリ２９，３０への受信データの書込みを開始する（図３ステップＳ５）。ここでは、障害復旧時、「書込みアドレス＝読出しアドレス＋書込み／読出し位相差量」にて書込みアドレスを決定する。
【００２５】
選択部３１は遅延メモリ２９，３０から受信データが読出されると（図３ステップＳ６）、伝送路障害が先に復旧した系を運用系に選択することで（図３ステップＳ７）、伝送路障害が復旧してすぐに伝送データを疎通することができる。一方、伝送路障害の復旧が遅い系は予備系となり、遅延差を吸収するために書込みアドレスを制御する（図３ステップＳ８）。
【００２６】
識別信号検出部２１，２２は伝送路の障害が復旧した後、一定時間監視し（図３ステップＳ９）、識別信号を検出する。０系及び１系の識別信号を両方とも検出することができた段階で（図３ステップＳ１０）、遅延差計算部２３にて改めて遅延差を計算し、１系の書込み制御部２５のみ制御して０系と１系との遅延差を補正した書込みアドレスとする（図３ステップＳ１１）。つまり、０系及び１系の両系の識別信号が検出された後、受信側装置２では「非選択系書込みアドレス（ここでは１系）と非選択系識別信号との位相差＝選択系書込みアドレス（ここでは０系）と選択系識別信号との位相差」となるように非選択系の書込みアドレスのみを変更する。この時、０系の書込み制御部２４は補正を実施することなく、継続して動作することで、伝送データへの影響をまったくないようにすることができる。
【００２７】
このように、本実施例では、正常運用時の読出しアドレスと書込みアドレスとの位相差を挿入遅延量保持部２６，２７に保持しておき、０系と１系との両方に障害が発生した場合、障害復旧時に先に復旧した系の書込みアドレスを、挿入遅延量保持部２６，２７に保持している位相差量と読出しアドレスとから復元することで、片方の系のみが障害から復旧した時でも、直ちに正常運用時と同じ位相差で遅延メモリへの伝送データの書込み実施することができ、片系復旧でも伝送データを疎通することができるとともに、伝送路の障害復旧から伝送データの疎通までの時間を短縮することができる。この場合には、両系の復旧時の遅延差補正の際に出力する伝送データに影響を与えることはない。
【図面の簡単な説明】
【００２８】
【図１】本発明の一実施例による無瞬断切り替えシステムの構成を示すブロック図である。
【図２】本発明の一実施例による無瞬断切り替えシステムの動作を示すタイムチャートである。
【図３】図１の受信側装置の動作を示すフローチャートである。
【図４】従来例による無瞬断切り替えシステムの構成を示すブロック図である。
【図５】従来例による無瞬断切り替えシステムの動作を示すタイムチャートである。
【符号の説明】
【００２９】
１  送信側装置
２  受信側装置
１１  識別信号挿入部
１２  識別信号発生部
２１，２２  識別信号検出部
２３  遅延差計算部
２４，２５  書込み制御部
２６，２７  挿入遅延量保持部
２８  読出し制御部
２９，３０  遅延メモリ
３１  選択部
【図１】
2006074301.tif 000003
【図２】
2006074301.tif 000004
【図３】
2006074301.tif 000005
【図４】
2006074301.tif 000006
【図５】
2006074301.tif 000007